(57)【要約】  【課題】異なる２方向の視野角を制御することができるレンチキュラーレンズシートを提供できるようにする。  【解決手段】レンチキュラーレンズシート４０は、一主面にレンズアレイ４１を有し、このレンズアレイ４１は、第１の単位レンズ４１ａを並べてなる第１のレンズ列と、第２の単位レンズ４１ｂを並べてなる第２のレンズ列とが結合または交差された構成を有する。第１の単位レンズ４１ａおよび第２の単位レンズ４１ｂのレンズ面は、曲柱面である。これにより、レンチキュラーレンズシート４０に入射する光を異なる２方向に広げることができる。【選択図】図４
2007304432.tif 000002
【特許請求の範囲】
【請求項１】
第１および第２のレンズ列が結合または交差されてなるレンズアレイを一主面に有し、
上記第１および第２のレンズ列を構成する単位レンズのレンズ面は、曲柱面であることを特徴とするレンチキュラーレンズシート。
【請求項２】
上記曲柱面は、円柱面または非球面であることを特徴とする請求項１記載のレンチキュラーレンズシート。
【請求項３】
上記一主面とは反対側の他主面に、光吸収性を有する遮光層をさらに有し、
上記遮光層は、上記レンチキュラーレンズの集光部に開口を有することを特徴とする請求項１記載のレンチキュラーレンズシート
【請求項４】
上記集光部には溝が設けられていることを特徴とする請求項３記載のレンチキュラーレンズシート。
【請求項５】
上記集光部には突出部が設けられていることを特徴とする請求項３記載のレンチキュラーレンズシート。
【請求項６】
フレネルレンズシートと、
レンチキュラーレンズシートと
を備え、
上記レンチキュラーレンズシートは、
第１および第２のレンズ列が結合または交差されてなるレンズアレイを一主面に有し、
上記第１および第２のレンズ列を構成する単位レンズのレンズ面は、曲柱面であることを特徴とする透過型スクリーン。
【請求項７】
画像を投射するプロジェクタと、
上記プロジェクタから投射された画像を透過表示する透過型スクリーンと
を備え、
上記透過型スクリーンは、
フレネルレンズシートと、
レンチキュラーレンズシートと
を備え、
上記レンチキュラーレンズシートは、
第１および第２のレンズ列が結合または交差されてなるレンズアレイを一主面に有し、
上記第１および第２のレンズ列を構成する単位レンズのレンズ面は、曲柱面であることを特徴とする背面投射型の画像表示装置。
【請求項８】
光を出射する光源と、
レンチキュラーレンズシートと、
上記光源から出射された光に基づき、画像を表示する液晶パネル部と
を備え、
上記レンチキュラーレンズシートは、
第１および第２のレンズ列が結合または交差されてなるレンズアレイを一主面に有し、
上記第１および第２のレンズ列を構成する単位レンズのレンズ面は、曲柱面であることを特徴とする液晶表示装置。
【発明の詳細な説明】
【技術分野】
【０００１】
この発明は、レンチキュラーレンズシート、透過型スクリーン、背面投射型の画像表示装置および液晶表示装置に関する。詳しくは、背面投射型の画像表示装置および液晶表示装置などの視野角を制御するためのレンチキュラーレンズシートに関する。
【背景技術】
【０００２】
従来、背面投射型のディスプレイは、プラズマディスプレイなどに比して視野角が狭いという問題がある。そこで、近年では、背面投射型のディスプレイの視野角を拡大させ、商品価値を高めることが望まれている。従来、背面投射型のディスプレイでは、透過型スクリーンの光入射側の面にレンチキュラーレンズ（シリンドリカルレンズ）を設けて、視野角を拡大することが行われている（例えば、特許文献１参照）。
【０００３】
【特許文献１】特許３３５１３４２号公報
【発明の開示】
【発明が解決しようとする課題】
【０００４】
しかしながら、上述のようにレンチキュラーレンズを設けることで水平方向の配光機能を得ることはできるが、視野角の制御は、水平方向に限定されてしまい、垂直方向の視野角を制御することは困難である。
【０００５】
また、液晶ディスプレイにおいても視野角に関する問題があり、ＶＡ（Vertical Alignment）、ＯＣＢ（Optically Compensated Birefringence）などの液晶技術により視野角改善の効果を得ているが、液晶方式の依存度が高く補償範囲も限定されるなどの問題を抱えている。
【０００６】
したがって、この発明の目的は、異なる２方向の視野角を制御することができるレンチキュラーレンズシート、透過型スクリーン、背面投射型の画像表示装置および液晶表示装置を提供することにある。
【課題を解決するための手段】
【０００７】
上述の課題を解決するために、第１の発明は、第１および第２のレンズ列が結合または交差されてなるレンズアレイを一主面に有し、
第１および第２のレンズ列を構成する単位レンズのレンズ面は、曲柱面であることを特徴とするレンチキュラーレンズシートである。
【０００８】
第２の発明は、フレネルレンズシートと、
レンチキュラーレンズシートと
を備え、
レンチキュラーレンズシートは、
第１および第２のレンズ列が結合または交差されてなるレンズアレイを一主面に有し、
第１および第２のレンズ列を構成する単位レンズのレンズ面は、曲柱面であることを特徴とする透過型スクリーンである。
【０００９】
第３の発明は、画像を投射するプロジェクタと、
プロジェクタから投射された画像を透過表示する透過型スクリーンと
を備え、
透過型スクリーンは、
フレネルレンズシートと、
レンチキュラーレンズシートと
を備え、
レンチキュラーレンズシートは、
第１および第２のレンズ列が結合または交差されてなるレンズアレイを一主面に有し、
第１および第２のレンズ列を構成する単位レンズのレンズ面は、曲柱面であることを特徴とする背面投射型の画像表示装置である。
【００１０】
第４の発明は、光を出射する光源と、
レンチキュラーレンズシートと、
光源から出射された光に基づき、画像を表示する液晶パネル部と
を備え、
レンチキュラーレンズシートは、
第１および第２のレンズ列が結合または交差されてなるレンズアレイを一主面に有し、
第１および第２のレンズ列を構成する単位レンズのレンズ面は、曲柱面であることを特徴とする液晶表示装置である。
【００１１】
第１〜第４の発明において、交差とは、第１の単位レンズと第２の単位レンズとを互いのレンズ面を貫通するように交わらせることをいう。結合とは、第１の単位レンズと第２の単位レンズとのレンズ面を足し合わせることをいう。シートとは、薄膜状や薄板状のものをいい、シートにはフィルムや基板なども含まれる。
【００１２】
第１〜第４の発明において、第１および第２の単位レンズのレンズ面はそれぞれ、円柱面または非球面であることが好ましい。
ここで、非球面とは、断面が円および直線でない柱面のことをいい、例えば、放物柱面、双曲柱面、楕円柱面、高次の非球面などである。
【００１３】
第１〜第４の発明において、一主面とは反対側の他主面に、光吸収性を有する遮光層をさらに有し、遮光層は、レンチキュラーレンズの集光部に開口を有することが好ましい。この場合、集光部に溝を設けるか、または、集光部に突出部を設けるようにしてもよい。
【００１４】
第１〜第４の発明では、第１および第２の単位レンズを結合または交差しているので、レンチキュラーレンズシートに入射する光を２方向に広げることができる。
【発明の効果】
【００１５】
以上説明したように、この発明によれば、レンチキュラーレンズシートに入射する光を２方向に広げることができるので、背面投射型の画像表示装置や液晶表示装置の視野角の改善を図ることができる。
【発明を実施するための最良の形態】
【００１６】
以下、この発明の実施形態について図面を参照しながら説明する。なお、以下の実施形態の全図においては、同一または対応する部分には同一の符号を付す。
【００１７】
（１）第１の実施形態
（１−１）背面投射型の画像表示装置の構成
図１は、この発明の第１の実施形態による背面投射型の画像表示装置の一構成例を示す。この背面投射型の画像表示装置１は、キャビネット２、プロジェクタ３、反射ミラー４および透過型スクリーン５を備える。キャビネット２は箱状を有し、その前面に設けられた開口を塞ぐように透過型スクリーン５が設けられている。また、キャビネット２の背面側の上部には傾斜面が設けられ、この傾斜面に沿うようにして、キャビネット２内に反射ミラー４が設けられている。さらに、キャビネット２内の底面近くにはプロジェクタ３が設けられている。
【００１８】
上述のように構成された背面投射型の画像表示装置１では、プロジェクタ３から出射された光Ｌは、反射ミラー４により反射された後、映像面に設けられた透過型スクリーン５で結像する。
【００１９】
（プロジェクタ）
プロジェクタ３は、画像を透過型スクリーン５に拡大投射するものである。このプロジェクタ３としては、例えば透過型液晶プロジェクタまたは反射型液晶プロジェクタなどのライトバルブ式プロジェクタを用いることができる。
【００２０】
図２は、プロジェクタ３の一構成例を示す斜視図である。このプロジェクタ３は、反射型液晶プロジェクタの一例である。光源１１から出射された光は、ライトインテグレータ１２を透過した後、ダイクロイックミラー１３Ｇにより緑光は反射され、マゼンタ光（赤光＋青光）が透過される。ダイクロイックミラー１３Ｇにより反射された緑色光は、ミラー１８により反射された後、フィールドレンズ１４Ｇを透過し、プリ（前置）ＰＢＳ（Polarization Beam Splitter）１９Ｇにより光の偏光度が高められ、メイン（主）ＰＢＳ２０Ｇに向けて出射される。
【００２１】
ダイクロイックミラー１３Ｇを透過したマゼンタ光は、フィールドレンズ１４Ｍを透過し、ダイクロイックミラー１３Ｂに入射し、入射したマゼンタ光のうち青光は反射され、赤光は透過する。反射された青光はプリＰＢＳ１９Ｂに入射し、その光の偏光度がプリＰＢＳ１９Ｂによりが高められ、メインＰＢＳ２０Ｂに向けて出射される。
【００２２】
ダイクロイックミラー１３Ｂを透過した赤光は、ミラー１５，１６，１７により反射されて光路が変えられ、フィールドレンズ１４Ｒを通過した後、プリＰＢＳ１９Ｒにより光の偏光度を高められ、メインＰＢＳ２０Ｒに向けて出射される。
【００２３】
メインＰＢＳ２０Ｒ，２０Ｇ，２０Ｂは、入射する光の一方の偏光成分（例えばＳ偏光成分）を反射し、他方の偏光成分（例えばＰ偏光成分）を透過するようになっている。
【００２４】
反射型液晶ライトバルブ２１Ｒ，２１Ｇ，２１Ｂには、メインＰＢＳ２０Ｒ，２０Ｇ，２０Ｂによって分離された所定の偏光成分（例えばＳ偏光成分）の色光が入射されるようになっている。反射型液晶ライトバルブ２１Ｒ，２１Ｇ，２１Ｂは、画像信号に基づいて与えられた駆動電圧に応じて駆動され、入射光を変調させると共に、その変調された光をメインＰＢＳ２０Ｒ，２０Ｇ，２０Ｂに向けて反射する。
【００２５】
クロスダイクロイックプリズム２２は、反射型液晶ライトバルブ２１Ｒ，２１Ｇ，２１Ｂから出射され、メインＰＢＳ２０Ｒ，２０Ｇ，２０Ｂを通過した所定の偏光成分（例えばＰ偏光成分）の色光を合成して出射する。投射レンズ２３は、クロスダイクロイックプリズム２２から出射された合成光を透過型スクリーン５に向けて投射する。
【００２６】
（透過型スクリーン）
図３は、この発明の第１の実施形態による透過型スクリーンの一構成例を示す断面図である。透過型スクリーン５は、プロジェクタ３により投射された画像を表示するためのものであり、フレネルレンズシート３０と、レンチキュラーレンズシート４０とを備える。この透過型スクリーン５は、例えばアスペクト比１６：９の長方形状を有する。以下では、各シートなどの長辺方向をＸ軸方向、短辺方向をＹ軸方向、厚さ方向をＺ軸方向と称する。また、各シートなどの観察者側となる面を表面と称し、それとは反対側の面を裏面と称する。
【００２７】
フレネルレンズシート３０の裏面側には、基板３３がさらに設けられ、フレネルレンズシート３０と基板３３とは粘着層３４により貼り合わされている。また、レンチキュラーレンズシート４０の表面側には、拡散フィルム４５、基板４６、アンチグレア・ハードコートフィルム（以下、ＡＧ・ＨＣフィルム）４７がさらに設けられ、それぞれの間は粘着層４８ａ，４８ｂ，４８ｃにより貼り合わされている。
【００２８】
以下、透過型スクリーン５を構成するフレネルレンズシート３０、基板３３、レンチキュラーレンズシート４０、拡散フィルム４５、基板４６、ＡＧ・ＨＣフィルム４７について順次説明する。
【００２９】
（フレネルレンズシート）
フレネルレンズシート３０は、プロジェクタ３からの投射光を略平行光として出射する光学シートである。フレネルレンズシート３０は、支持体であるフィルム３２と、このフィルム３２の表面に設けられたフレネルレンズ３１とを備える。
【００３０】
フィルム３２の材料としては、例えば透明性を有するプラスチックを用いることができる。このようなプラスチックとしては、例えばポリエチレンテレフタレート（ＰＥＴ）、ポリカーボネート（ＰＣ）を用いることができる。フレネルレンズ３１は、例えば、フィルム３２の中心からプリズムが同心円状に配された構成を有する。このフレネルレンズ３１の作製方法としては、公知の作製方法を用いることができる。このような公知の作製方法としては、例えば、切削加工が施された金型に紫外線硬化樹脂などの感光性樹脂を塗布・硬化させた後、剥離する方法を挙げることができる。
【００３１】
（基板）
基板３３は、フレネルレンズシート３０を支持するためのものである。この基板３３を構成する材料としては、例えばガラス、プラスチックなどを用いることができ、透過型スクリーン５の平面性を維持する観点からすると、ガラスを用いることが好ましく、コストの観点からすると、プラスチックを用いることが好ましい。
【００３２】
（レンチキュラーレンズシート）
レンチキュラーレンズシート４０は、フレネルレンズシート３０から出射された平行光を受け、水平方向および垂直方向に広げ、表示光として出射する光学シートである。レンチキュラーレンズシート４０は、支持体であるフィルム４２と、このフィルム４２の裏面に設けられたレンズアレイ４１とを備える。また、レンチキュラーレンズシート４０は、フィルム４２の表面に設けられた感光性粘着層４３と、この感光性粘着層４３上に設けられた遮光層４４とをさらに備える。
【００３３】
フィルム４２の材料としては、透明性を有するプラスチックなどを用いることができる。このようなプラスチックとしては、例えばポリエチレンテレフタレート（ＰＥＴ）、ポリカーボネート（ＰＣ）を用いることができる。レンズアレイ４１は、例えば紫外線硬化樹脂などの感光性樹脂を硬化してなる。
【００３４】
感光性粘着層４３は、例えば光を照射すると粘着性を失うものであり、例えば自己整合（セルフアライン）により遮光層４４を形成するときに用いられる。遮光層４４は、外光を吸収して透過型スクリーン５のコントラストを向上させるためのものである。
【００３５】
図４Ａは、レンチキュラーレンズシート４０の裏面を模式的に示す平面図である。図４Ｂは、レンチキュラーレンズシート４０の表面を模式的に示す平面図である。図５Ａは、図４ＡのＡ−Ａ線におけるＹＺ断面図である。図５Ｂは、図４ＡのＢ−Ｂ線におけるＸＺ断面図である。
【００３６】
レンズアレイ４１は、第１の単位レンズ４１ａをＹ軸方向に連続して設けてなる第１のレンズ列と、第２の単位レンズ４１ｂをＸ軸方向に連続して設けてなる第２のレンズ列とを備え、これらの第１および第２のレンズ列は、互いのレンズ面を貫通するように直交交差されている。第１の単位レンズのレンズ面は、Ｘ軸方向に向かって一様に延びる非球面状の柱面であり、その柱面は、例えば放物柱面、双曲柱面または楕円柱面などである。第２の単位レンズのレンズ面は、Ｙ軸方向に向かって一様に延びる非球面状の柱面であり、その柱面は、例えば放物柱面、双曲柱面または楕円柱面である。第１の単位レンズ４１ａのレンズピッチは、例えば１００μｍに選ばれ、第２の単位レンズ４１ｂのレンズピッチは、例えば１００μｍに選ばれる。
【００３７】
第１の単位レンズ４１ａおよび第２の単位レンズ４１ｂのレンズ面は、例えば以下の式（１）および式（２）により表される。
Ｚ＝Ｙ2／（Ｒ＋√（Ｒ2−（１＋Ｋ）Ｙ2））＋ＡＹ4＋ＢＹ5＋ＣＹ6＋・・・  （１）
Ｚ＝Ｘ2／（Ｒ＋√（Ｒ2−（１＋Ｋ）Ｘ2））＋ＡＸ4＋ＢＸ5＋ＣＸ6＋・・・  （２）
但し、Ｒは先端頂点の曲率半径、Ｋはコーニック定数、Ａ、Ｂ、Ｃ・・・は非球面係数である。
なお、この明細書中において、“√”はそれ以降に続く数式で求められる値の平方根を意味する。
【００３８】
遮光層４４には、レンズアレイ４１により光が集光される部分に透過部４４ａが設けられている。この透過部４４ａは、例えば格子状を有し、第１の単位レンズ４１ａおよび第２の単位レンズ４１ｂの頂点に対応する位置に設けられている。
【００３９】
（拡散フィルム）
拡散フィルム４５は、レンズアレイ４１を透過した光を拡散し、水平方向および垂直方向の視野角を改善するためのものである。この拡散フィルム４５は、支持体であるフィルム４５ｂと、このフィルム４５ｂの表面に設けられた拡散層４５ａとを有する。フィルム４５ｂの材料としては、透明性を有するプラスチックなどを用いることができる。このようなプラスチックとしては、例えばポリエチレンテレフタレート（ＰＥＴ）、ポリカーボネート（ＰＣ）を用いることができる。拡散層４５ａは光を拡散するためのものであり、この拡散層４５ａには、例えばプラスチックビーズまたはガラスビーズなどの拡散材が分散されている。
【００４０】
（基板）
基板４６は、レンチキュラーレンズシート４０を支持するためのものである。この基板４６を構成する材料としては、例えばガラス、プラスチックなどを用いることができ、透過型スクリーン５の平面性を維持する観点からすると、ガラスを用いることが好ましく、コストの観点からすると、プラスチックを用いることが好ましい。
【００４１】
（ＡＧ・ＨＣフィルム）
ＡＧ・ＨＣフィルム４７は、透過型スクリーン５の表面保護および反射光の散乱をするためのものである。ＡＧ・ＨＣフィルム４７は、フィルム４７ｂと、このフィルム４７ｂの表面に設けられたＡＧ・ＨＣ層４７ａとを有する。フィルム４７ｂの材料としては、透明性を有するプラスチックなどを用いることができる。このようなプラスチックとしては、例えばポリエチレンテレフタレート（ＰＥＴ）、ポリカーボネート（ＰＣ）を用いることができる。ＡＧ・ＨＣ層４７ａは、例えば、ハードコート樹脂中にシリカ粒子などの微粒子を分散し、フィルム４７ｂ上に塗布・硬化することにより形成される。
【００４２】
（１−２）レンチキュラーレンズシートの製造方法
この第１の実施形態によるレンチキュラーレンズシートの製造方法は、母型の作製工程、複製母型の作成工程、金型の作製工程、レンチキュラーレンズシートの作製工程、粘着・非粘着パターンの形成工程および遮光層の形成工程からなる。以下、図６〜８を参照しながら、レンチキュラーレンズシートの製造方法の一例について説明する。
【００４３】
（母型の作製工程）
まず、図６Ａに示すように、被加工物５１を準備する。この被加工物５１としては、例えば、板状、シート状またはフィルム状などの基材を用いることができる。また、被加工物５１の材料としては、公知のプラスチックを用いることができる。このようなプラスチックとしては、例えば、ポリイミド（ＰＩ）、ポリエステル、ポリスチレン、ポリメチルメタクリレート（ＰＭＭＡ）およびポリカーボネートなどが挙げられる。プラスチックの耐熱性、ガラス転移点により加工性や加工後の表面形状が変化するため、加工条件に応じてプラスチックを適宜選択することが好ましく、例えばポリカーボネートを用いることが最も好ましい。
【００４４】
次に、図６Ｂに示すように、例えばエキシマレーザを用いたマスクイメージング法により、被加工物５１に対して凹型の加工を行い、上述のレンズアレイ４１の形状に対応した凹型の母型５２を形成する。
【００４５】
（複製母型の作製工程）
次に、図６Ｃに示すように、上述のようにして得られた母型５２の成形面に対して下地処理として導電化処理を行い、導電化膜５３ａを形成する。導電化処理としては、例えば無電解メッキ法を用いることができる。ここで、導電化膜５３ａは、例えばニッケルなどからなる金属被膜である。
【００４６】
次に、図６Ｄに示すように、例えば、電気メッキ法により、母型５２の成形面に形成された導電化膜５３ａ上にニッケルメッキ層などの金属メッキ層５３ｂを形成する。その後、母型５２から金属メッキ層５３ｂを剥離することにより、図６Ｅに示すように、母型５２とは反対の凹凸パターンを有する複製母型５３が得られる。
【００４７】
（金型の作製工程）
次に、図６Ｆに示すように、例えば、電気メッキ法により、複製母型５３の成形面上にニッケルメッキ層などの金属メッキ層５４を形成する。その後、複製母型５３から金属メッキ層５４を剥離することにより、図６Ｇに示すように、母型５２と同様の凹凸パターンを有する金型５５が得られる。
【００４８】
（レンチキュラーレンズシートの作製工程）
次に、図７Ａに示すように、上述のようにして得られた金型５５上に、例えば紫外線硬化樹脂５６を塗布し、この紫外線硬化樹脂５６上に、透明な支持体であるフィルム４２を被せる。
【００４９】
レンズアレイ４１を形成するための紫外線硬化樹脂５６は、透光性を有すものであればよく特に限定されないが、着色、ヘイズによる透過光の色相、透過光量の変化が少ないものを用いることが好ましい。紫外線硬化樹脂５６としては、例えばウレタンアクリレート、エポキシアクリレート、ポリエステルアクリレート、ポリオールアクリレート、ポリエーテルアクリレート、メラミンアクリレートのアクリレート系樹脂、またはポリエステル樹脂、ポリ塩化ビニル、シリコーン樹脂などを用いることができる。
【００５０】
フィルム４２としては、公知の高分子フィルムを用いることができる。このような高分子フィルムを構成する高分子材料としては、例えばポリエステル、ポリエチレンテレフタレート、ポリイミド、ポリアミド、アラミド、ポリエチレン、ポリアクリレート、ポリエーテルスルフォン、トリアセチルセルロース、ポリスルフォン、ジアチルセルロース、ポリプロピレン、ポリ塩化ビニル、ポリカーボネート、エポキシ樹脂、尿素樹脂、ウレタン樹脂、メラミン樹脂などを用いることができる。
【００５１】
また、紫外線硬化樹脂５６には、必要に応じて光安定剤、紫外線吸収剤、帯電防止剤、難燃剤、酸化防止剤などを添加するようにしてもよい。紫外線硬化樹脂５６の厚みは特に限定されるものではないが、厚いと次工程において感光性粘着層４３を硬化するために照射する紫外線に対して吸収が大きくなってしまうため、２００μｍ以下が好ましい。
【００５２】
次に、図７Ｂに示すように、例えばフィルム４２側から紫外線を照射して紫外線硬化樹脂５６を硬化させた後、フィルム４２を金型５５から剥離する。これにより、図７Ｃに示すように、フィルム４２上にレンズアレイ４１が形成される。
【００５３】
（粘着・非粘着パターンの形成工程）
次に、図８Ａに示すように、フィルム４２のレンズ側とは反対側の平坦面に、例えば紫外線感光樹脂粘着層などの感光性粘着層４３を形成する。この感光性粘着層４３の形成方法としては、例えば、フィルム４２の表面に感光性粘着剤を直接塗布する方法、感光性粘着層４３を支持基材上に剥離可能に形成し、この感光性粘着層４３をフィルム４２の表面に貼り合わせて、支持基材を剥離する方法などが挙げられる。
【００５４】
感光性粘着層４３を構成する材料としては、例えば、少なくとも１つの有機重合体からなる熱粘着性の結合剤、エチレン性不飽和を有する光重合性化合物、１つの光重合開始剤を主成分とするものを用いることができる。
【００５５】
上述の有機合成体からなる熱粘着性の結合剤は、上述の各成分と相溶性であることが望ましい。一般的な有機重合体の例としては、例えば、ポリ塩化ビニル、ポリ（メタ）アクリル酸、ポリ（メタ）アクリル酸エステル、ポリビニルエーテル、ポリビニルアセタール、ポリウレタン樹脂、エポキシ樹脂、ポリアミド、ポリエステル、塩化ビニリデン−アクリルニトリル共重合体、塩化ビニリデン−メタクリレート共重合体、塩化ビニリデン−酢酸ビニル共重合体、セルロース誘導体、ポリオレフィン、ジアリルフタレート樹脂、各種合成ゴム、ブタジエン−アクリルニトリル共重合体などを挙げることができる。
【００５６】
光重合性化合物としてはラジカル重合が可能なエチレン性不飽和を有する、付加重合または架橋可能な公知のモノマー、オリゴマー、ポリマーを制限することなく使用することができる。例えば、ビニル基もしくはアクリル基を有するモノマー、オリゴマー、または末端もしくは側鎖にエチレン性不飽和基を有するポリマーである。その例としては例えばアクリル酸およびその塩、アクリル酸エステル類、アクリルアミド類、メタクリル酸およびその塩、メタクリル酸エステル類、メタクリルアミド類、無水マレイン酸、マレイン酸エステル類、イタコン酸エステル類、スチレン類、ビニルエーテル類、ビニルエステル類、Ｎ−ビニル複素環類、アクリルエーテル類、アクリルエステル類、およびこれらの誘導体などを挙げることができる。
【００５７】
具体的な化合物としては、（メタ）アクリル酸、メチル（メタ）アクリレート、ブチル（メタ）アクリレート、シクロヘキサン（メタ）アクリレート、ジメチルアミノメチル（メタ）アクリレート、カルビトール（メタ）アクリレート、２−エチルへキシル（メタ）アクリレート、ラウリル（メタ）アクリレート、２−ヒドロキシエチル（メタ）アクリレート、２−ヒドロキシプロピル（メタ）アクリレート、（メタ）アクリルアミド、Ｎ−メチロール（メタ）アクルアミド、スチレン、アクリルニトリル、Ｎ−ビニルピロリドン、エチレングリコール（メタ）アクリレート、トリエチレングリコールジ（メタ）アクリレート、プロピレングリコールジ（メタ）アクリレート、トリプロピレングリコールジ（メタ）アクリレート、ペンタエリスリトールジ（メタ）アクリレート、ブタンジオールジ（メタ）アクリレート、ヘキサンジオールジ（メタ）アクリレート、ノナンジオールジ（メタ）アクリレート、ネオペンチルグリコールジ（メタ）アクリレート、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、トリエチレングリコールジビニルエーテルヒドロキシプチルビニルエーテル、ウレタン（メタ）アクリレート、ポリエステル（メタ）アクリレート、エポキシ（メタ）アクリレートなどが好適に使用でき、これらの化合物は１種または２種以上を混合して用いることができる。
【００５８】
上述の材料成分の混合比は、例えば、有機重合体からなる熱粘着性の結合剤２０〜８０ｗｔ％、ラジカル重合可能なエチレン性不飽和結合を有する光重合性化合物２０〜８０ｗｔ％である。
【００５９】
次に、図８Ｂに示すように、未硬化状態の感光性粘着層４３に、レンズアレイ４１の側から紫外線（ＵＶ平行光）を照射する。これにより、レンズアレイ４１により紫外線が集光部４３ａに集光されて、感光性粘着層４３のうち集光部４３ａの部分が硬化される。すなわち、集光部４３ａの部分は粘着性が失われる。これに対して、紫外線が集光されない非集光部４３ｂの部分は、粘着性が維持される。
【００６０】
（遮光層の形成工程）
次に、図８Ｃに示すように、感光性粘着層４３上に、黒色転写フィルム４９の黒色層４９ａを貼り合わせた後、支持基材４９ｂを剥離する。これにより、図８Ｄに示すように、黒色層４９ａのうち集光部４３ａに対応する部分が、支持基材４９ｂと共に剥離されて、例えば格子状を有する透過部４４ａが黒色層４９ａに形成される。以上により、図８Ｅに示すように、観察者側となる表面に遮光層４４が設けられたレンチキュラーレンズシート４０が得られる。
【００６１】
黒色層４９ａは、例えば、バインダー樹脂と、カーボンブラックと、必要に応じて溶剤とを、例えば攪拌機で混合し、支持基材４９ｂに一様に塗布し、乾燥あるいは硬化することにより形成される。
【００６２】
上述のカーボンブラックとしては、市販のカーボンブラックを使用することができる。例えば、三菱化成社製の＃９８０Ｂ、＃８５０Ｂ、ＭＣＦ８８Ｂ、＃４４Ｂ、キャボット社製のＢＰ−８００、ＢＰ−Ｌ、ＲＥＧＡＬ−６６０、ＲＥＧＡＬ−３３０、コロンビアンカーボン社製のＲＡＶＥＮ−１２５５、ＲＡＶＥＮ−１２５０、ＲＡＶＥＮ−１０２０、ＲＡＶＥＮ−７８０、ＲＡＶＥＮ−７６０、デグサ社製のＰｒｉｎｔｅｘ−５５、Ｐｒｉｎｔｅｘ−７５、Ｐｒｉｎｔｅｘ−２５、Ｐｒｉｎｔｅｘ−４５、ＳＢ−５５０などがある。これらを単独あるいは混合して使用することができる。
【００６３】
カーボンブラックと配合するバインダー樹脂としては、変成または非変成の塩化ビニル樹脂、ポリウレタン樹脂、フェノキシ樹脂、ポリエステル樹脂などを使用でき、これ以外にも、セルロースアセテートブチレートなどのセルロースエステルを使用できる。また、特定の使用方式を有する熱可塑性樹脂、熱硬化性樹脂、反応型樹脂、電子線照射硬化型樹脂などを用いてもよい。
【００６４】
塗料におけるカーボンブラックの含有量は４５ｗｔ％以上７５ｗｔ％以下が好ましく、６０ｗｔ％以上７０ｗｔ％以下とするのが最も好ましい。含有量カーボンが７５ｗｔ％を超える場合は、樹脂に対してカーボンブラックが過剰となり、カーボンブラックが脱落する。集光部４３ａへの脱落および、転写工程での脱落は、汚れとなり望ましくない。また、カーボンブラックの含有量が４５ｗｔ％に満たない場合は、樹脂が過剰となるため塗膜強度が強く、集光部４３ａと非集光部４３ｂの境界に倣い、塗膜が切れず、非集光部４３ｂに付着すべき黒色層４９ａが不足する。あるいは集光部４３ａに黒色層４９ａが残存することが起きる。非集光部４３ｂの黒色層４９ａの不足、集光部４３ａへの黒色層４９ａの残存は、透過型スクリーン５のコントラスト低下および投影像の欠落を招くため望ましくない。
【００６５】
黒色層４９ａには、カーボンブラックとバインダー樹脂の他に、必要に応じて有機顔料、無機顔料などの添加剤を含有させることができる。
【００６６】
上述の塗料の支持基材４９ｂとしては、公知のプラスチックフィルムを用いることが可能である。また、必要に応じて、プラスチックフィルム表面に離型層を形成し、プラスチックフィルムと黒色層４９ａとの剥離強度を調整することも可能である。
【００６７】
黒色層４９ａの厚みは、０．５μｍ以上２．０μｍ以下の範囲内であることが好ましく、０．７μｍ以上１．２μｍ以下の範囲内であることが最も好ましい。厚みが０．５μｍに満たない場合は黒色濃度が低下し、外光を十分に遮断することができない。また、濃度ムラが顕著となり望ましくない。厚みが２．０μｍを超える場合は、感光性粘着層４３に黒色層４９ａを貼合し加圧した際に塗膜にひび割れが生じ望ましくない。
【００６８】
上述したように、この第１の実施形態によれば、透過型スクリーン５は、効率よく利用者側の方向へ主光線を向けるフレネルレンズシート３０と、このフレネルレンズシート３０を透過した映像光を平面画像として拡散作用を行うレンチキュラーレンズシート４０とを備える。レンチキュラーレンズシート４０は、基本構成の各要素である第１の単位レンズ４１ａおよび第２の単位レンズ４１ｂを直交交差してなる直交構造を有し、第１の単位レンズ４１ａおよび第２の単位レンズ４１ｂのレンズ面は非球面状の柱面である。したがって、配光特性を改善し正面輝度の確保すると共に、視野角特性を向上できる。また、視野角は水平方向のみならず、垂直方向に対しても制御可能である。これによって、背面投射型の画像表示装置１の水平方向および垂直方向の視野角を拡大制御して商品価値を高めることができる。
【００６９】
また、従来のレンチキュラーレンズシートでは、遮光層であるブラックマトリクス層の比率（黒率）の向上には限界があり、コントラストの向上が困難であるのに対して、この第１の実施形態によるレンチキュラーレンズシート４０では、レンチキュラーレンズシート４０の集光特性の向上も可能であるため、遮光層４４の比率（黒率）を高め、コントラストを向上することができる。
【００７０】
（２）第２の実施形態
この第２の実施形態による背面投射型の画像表示装置１は、レンチキュラーレンズシート４０以外のことは上述の第１の実施形態と同様であるので、以下ではレンチキュラーレンズシート４０について説明する。
【００７１】
図９Ａは、レンチキュラーレンズシート４０のＹＺ断面である。図９Ｂは、レンチキュラーレンズシート４０のＸＺ断面である。なお、このＸＺ断面およびＹＺ断面は、図５に示す断面と対応する位置におけるものである。
【００７２】
レンチキュラーレンズシート４０の裏面には、レンズアレイ４１が設けられている。このレンズアレイ４１は、第１の単位レンズ４１ａをＹ軸方向に連続して設けてなる第１のレンズ列と、第２の単位レンズ４１ｂをＸ軸方向に連続して設けてなる第２のレンズ列とを備え、これらの第１および第２のレンズ列は、互いのレンズ面を貫通するように直交交差されている。第１の単位レンズのレンズ面は、Ｘ軸方向に向かって一様に延びる円柱面である。第２の単位レンズのレンズ面は、Ｙ軸方向に向かって一様に延びる円柱面である。第１の単位レンズ４１ａのレンズピッチは、例えば１００μｍに選ばれ、第２の単位レンズ４１ｂのレンズピッチは、例えば１００μｍに選ばれる。
【００７３】
第１の単位レンズ４１ａおよび第２の単位レンズ４１ｂのレンズ面は、例えば以下の式（３）および式（４）により表される。
Ｙ2＋Ｚ2＝ｒ12      （３）
Ｘ2＋Ｚ2＝ｒ22      （４）
但し、ｒ1は第１の単位レンズ４１ａの円柱面の半径、ｒ2は第２の単位レンズ４１ｂの円柱面の半径である。
【００７４】
（３）第３の実施形態
この第３の実施形態による背面投射型の画像表示装置１は、レンチキュラーレンズシート４０以外のことは上述の第１の実施形態と同様であるので、以下ではレンチキュラーレンズシート４０について説明する。
【００７５】
図１０Ａは、レンチキュラーレンズシート４０のＹＺ断面である。図１０Ｂは、レンチキュラーレンズシート４０のＸＺ断面である。なお、このＸＺ断面およびＹＺ断面は、図５に示す断面と対応する位置におけるものである。
【００７６】
レンチキュラーレンズシート４０の裏面には、レンズアレイ４１が設けられている。このレンズアレイ４１は、第１の単位レンズ４１ａをＹ軸方向に連続して設けてなる第１のレンズ列と、第２の単位レンズ４１ｂをＸ軸方向に連続して設けてなる第２のレンズ列とを備え、これらの第１および第２のレンズ列は、互いのレンズ面を貫通するように直交交差されている。第１の単位レンズのレンズ面は、Ｘ軸方向に向かって一様に延びる円柱面である。第２の単位レンズのレンズ面は、Ｙ方向に向かって一様に延びる非球面状の柱面であり、その柱面は、例えば放物柱面、双曲柱面または楕円柱面などである。第１の単位レンズ４１ａのレンズピッチは、例えば１００μｍに選ばれ、第２の単位レンズ４１ｂのレンズピッチは、例えば１００μｍに選ばれる。
【００７７】
第１の単位レンズ４１ａおよび第２の単位レンズ４１ｂのレンズ面は、例えば以下の式（５）および式（６）により表される。
Ｙ2＋Ｚ2＝ｒ2      （５）
Ｚ＝Ｘ2／（Ｒ＋√（Ｒ2−（１＋Ｋ）Ｘ2））＋ＡＸ4＋ＢＸ5＋ＣＸ6＋・・・  （６）
但し、ｒは第１の単位レンズ４１ａの円柱面の半径、Ｒは第２の単位レンズ４１ｂの先端頂点の曲率半径、Ｋはコーニック定数、Ａ、Ｂ、Ｃ・・・は非球面係数、である。
【００７８】
（４）第４の実施形態
この第４の実施形態による背面投射型の画像表示装置１は、レンチキュラーレンズシート４０以外のことは上述の第１の実施形態と同様であるので、以下ではレンチキュラーレンズシート４０について説明する。
【００７９】
レンチキュラーレンズシート４０の裏面には、レンズアレイ４１が設けられている。このレンズアレイ４１は、第１の単位レンズ４１ａをＹ軸方向に連続して設けてなる第１のレンズ列と、第２の単位レンズ４１ｂをＸ軸方向に連続して設けてなる第２のレンズ列とを直交結合してなる。第１の単位レンズのレンズ面は、Ｘ軸方向に向かって一様に延びる非球面状の柱面であり、その柱面は、例えば放物柱面、双曲柱面または楕円柱面などである。第２の単位レンズのレンズ面は、Ｙ軸方向に向かって一様に延びる非球面状の柱面であり、その柱面は、例えば放物柱面、双曲柱面または楕円柱面である。
【００８０】
例えば、第１の単位レンズ４１ａ、第２の単位レンズ４１ｂのレンズ面がそれぞれ式Ｚ1（Ｙ）、Ｚ2（Ｘ）により表される場合に、レンズアレイ４１のレンズ面はＺ（Ｘ，Ｙ）＝Ｚ1（Ｙ）＋Ｚ2（Ｘ）により表される。
【００８１】
第１の単位レンズ４１ａおよび第２の単位レンズ４１ｂのレンズ面は、例えば以下の式（７）および式（８）により表される。
Ｚ＝Ｙ2／（Ｒ＋√（Ｒ2−（１＋Ｋ）Ｙ2））＋ＡＹ4＋ＢＹ5＋ＣＹ6＋・・・  （７）
Ｚ＝Ｘ2／（Ｒ＋√（Ｒ2−（１＋Ｋ）Ｘ2））＋ＡＸ4＋ＢＸ5＋ＣＸ6＋・・・  （８）
但し、Ｒは先端頂点の曲率半径、Ｋはコーニック定数、Ａ、Ｂ、Ｃ・・・は非球面係数である。
【００８２】
（５）第５の実施形態
この第５の実施形態による背面投射型の画像表示装置１は、レンチキュラーレンズシート４０以外のことは上述の第１の実施形態と同様であるので、以下ではレンチキュラーレンズシート４０について説明する。
【００８３】
レンチキュラーレンズシート４０の裏面には、レンズアレイ４１が設けられている。このレンズアレイ４１は、第１の単位レンズ４１ａをＹ軸方向に連続して設けてなる第１のレンズ列と、第２の単位レンズ４１ｂをＸ軸方向に連続して設けてなる第２のレンズ列とを直交結合してなる。第１の単位レンズのレンズ面は、Ｘ軸方向に向かって一様に延びる円柱面である。第２の単位レンズのレンズ面は、Ｙ軸方向に向かって一様に延びる円柱面である。
【００８４】
例えば、第１の単位レンズ４１ａ、第２の単位レンズ４１ｂのレンズ面がそれぞれ式Ｚ1（Ｙ）、Ｚ2（Ｘ）により表される場合に、レンズアレイ４１のレンズ面はＺ（Ｘ，Ｙ）＝Ｚ1（Ｙ）＋Ｚ2（Ｘ）により表される。
【００８５】
第１の単位レンズ４１ａおよび第２の単位レンズ４１ｂのレンズ面は、例えば以下の式（９）および式（１０）により表される。
Ｙ2＋Ｚ2＝ｒ12      （９）
Ｘ2＋Ｚ2＝ｒ22      （１０）
但し、ｒ1は第１の単位レンズ４１ａの円柱面の半径、ｒ2は第２の単位レンズ４１ｂの円柱面の半径である。
【００８６】
（６）第６の実施形態
この第６の実施形態による背面投射型の画像表示装置１は、レンチキュラーレンズシート４０以外のことは上述の第１の実施形態と同様であるので、以下ではレンチキュラーレンズシート４０について説明する。
【００８７】
レンチキュラーレンズシート４０の裏面には、レンズアレイ４１が設けられている。このレンズアレイ４１は、第１の単位レンズ４１ａをＹ軸方向に連続して設けてなる第１のレンズ列と、第２の単位レンズ４１ｂをＸ軸方向に連続して設けてなる第２のレンズ列とを直交結合してなる。第１の単位レンズのレンズ面は、Ｘ軸方向に向かって一様に延びる円柱面である。第２の単位レンズのレンズ面は、Ｙ軸方向に向かって一様に延びる非球面状の柱面であり、その柱面は、例えば放物柱面、双曲柱面または楕円柱面などである。
【００８８】
例えば、第１の単位レンズ４１ａ、第２の単位レンズ４１ｂのレンズ面がそれぞれ式Ｚ1（Ｙ）、Ｚ2（Ｘ）により表される場合に、レンズアレイ４１のレンズ面はＺ（Ｘ，Ｙ）＝Ｚ1（Ｙ）＋Ｚ2（Ｘ）により表される。
【００８９】
第１の単位レンズ４１ａおよび第２の単位レンズ４１ｂのレンズ面は、例えば以下の式（１１）および式（１２）により表される。
Ｙ2＋Ｚ2＝ｒ2      （１１）
Ｚ＝Ｘ2／（Ｒ＋√（Ｒ2−（１＋Ｋ）Ｘ2））＋ＡＸ4＋ＢＸ5＋ＣＸ6＋・・・  （１２）
但し、ｒは第１の単位レンズ４１ａの円柱面の半径、Ｒは第２の単位レンズ４１ｂの先端頂点の曲率半径、Ｋはコーニック定数、Ａ、Ｂ、Ｃ・・・は非球面係数である。
【００９０】
（７）第７の実施形態
この第７の実施形態による背面投射型の画像表示装置１は、レンズアレイ４１がレンチキュラーレンズシート４０の一主面に一体成形されている以外のことは、上述の第１の実施形態と同様の構成を有する。したがって、背面投射型の画像表示装置の構成についての説明を省略し、以下では、レンチキュラーレンズシートの製造方法について説明する。
【００９１】
この第７の実施形態によるレンチキュラーレンズシートの製造方法は、熱プレスによりレンズキュラーレンズシートを製造するものである。まず、図１１を参照して、この第７の実施形態によるレンチキュラーレンズシートの製造方法に用いられるシート製造装置について説明する。
【００９２】
図１１に示すように、このシート製造装置は、加圧プレート６１Ａ，６１Ｂを備え、この加圧プレート６１Ａ，６１Ｂの間に鏡面プレート６３および平板金型６２が配され、さらに、これらの鏡面プレート６３および平板金型６２の間に、シート（フィルム）６０が配される。なお、図示を省略するが、このシート製造装置は、加圧プレート６１Ａ，６１Ｂをプレスするためのプレス機構と、加圧プレート６１Ａ，６１Ｂ付近を真空雰囲気にするための真空チャンバとを有する。
【００９３】
加圧プレート６１Ａ，６１Ｂは、鏡面プレート６３および平板金型６２によって挟み込まれたシート６０を加圧するためのものである。加圧プレート６１Ａ，６１Ｂの内部には、ヒータなどの加熱機構と冷却管などの冷却機構とが設けられ、加圧プレート６１Ａ，６１Ｂは加熱および冷却可能に構成されている。なお、冷却管に供給される冷媒としては、例えば、水または油などが用いられる。
【００９４】
鏡面プレート６３は、レンチキュラーレンズシート４０の観察者側となる表面を形成するためのものであり、薄板状の形状を有し、その両主面は平面状とされている。平板金型３２は、レンチキュラーレンズシート４０の裏面を形成するためのものであり、薄板状の形状を有する。その一主面には、レンズアレイ４１を形成するための微細形状が設けられ、他主面は、平面状とされている。レンズアレイ４１を形成するための微細形状は、例えば、ダイヤモンドバイトによる精密切削により形成される。
【００９５】
次に、図１１を参照しながら、この第７の実施形態によるレンチキュラーレンズシートの製造方法について説明する。まず、平板金型６２と鏡面プレート６３との間にシート６０を配して、真空チャンバ内を真空引きする。その後、加圧プレート６１Ａ，６１Ｂにより平板金型６２と鏡面プレート６３とを挟み込み、矢印ａに示す方向から加圧プレート６１Ａに所定の力を加えて、シート６０を加圧する。この際、加圧プレート６１Ａ，６１Ｂを所定温度に加熱しておくようにする。これにより、平板金型６２の一主面に設けられた微細形状の転写をより容易にすることができる。シート６０の材料としては、例えばＰＥＴ（ポリエチレンテレフタレート）、ＰＣ（ポリカーボネート）、ゼオノア（登録商標）などを用いることができる。
【００９６】
そして、一定時間加圧した後、内部に備えられた冷却管（図示省略）などの冷却機構によって、加圧プレート６１Ａ，６１Ｂを冷却し、加圧プレート６１Ａ，６１Ｂの温度が室温程度に達したら加圧プレート６１Ａ，６１Ｂを開く。以上の工程により、レンチキュラーレンズシート４０を得ることができる。
【００９７】
（８）第８の実施形態
この第８の実施形態による背面投射型の画像表示装置１は、レンズアレイ４１がレンチキュラーレンズシート４０の一主面に一体成形されている以外のことは、上述の第１の実施形態と同様の構成を有する。したがって、背面投射型の画像表示装置の構成についての説明を省略し、以下では、レンチキュラーレンズシートの製造方法について説明する。
【００９８】
この第８の実施形態によるレンチキュラーレンズシートの製造方法は、溶融押出法によりレンズキュラーレンズシートを製造するものである。まず、図１２を参照して、この第８の実施形態によるレンチキュラーレンズシートの製造方法に用いられるシート製造装置について説明する。
【００９９】
図１２に示すように、このシート製造装置は、ホッパ７１、押出機７２、Ｔダイ７３、加圧冷却ロール７４および金型ロール７５を備える。ホッパ７１は、樹脂材料を収納し、押出機７２に供給する。押出機７２は、樹脂材料７６を溶融し、Ｔダイ７３に供給する。Ｔダイ７３は、一の字状の開口を有するダイスであり、押出機７２から供給される樹脂材料を、成形しようとするシート幅まで広げて吐出する。
【０１００】
加圧冷却ロール７４は、その内部に冷却機構を備え、Ｔダイ７３から吐出された樹脂材料を冷却固化する。また、この加圧冷却ロール７３は、円柱状の形状を有し、その軸を回転軸として回転可能に構成されている。
【０１０１】
金型ロール７５は、上述のレンズアレイ４１を、Ｔダイ７３から吐出されたシート状の樹脂材料の一主面に連続的に形成するためのものである。金型ロール７５は、円柱状の形状を有し、その円柱面には、上述のレンズアレイ４１をシート状の樹脂材料に形成するための微細形状の型が設けられている。また、金型ロール７５は、その軸を回転軸として回転可能に構成されている。樹脂材料７６としては、例えばＰＥＴ（ポリエチレンテレフタレート）、ＰＣ（ポリカーボネート）、ゼオノア（登録商標）などのプラスチック材料を用いることができる。
【０１０２】
金型ロール７５の材料としては、その円柱面に設けられた微細形状を精密に形成するのに適した金属材料を用いることが好ましい。このような金属材料としては、好ましくは、アルミ合金または銅合金が用いられ、より好ましくは、無酸素銅が用いられる。円柱面の微細形状は、例えば、ダイヤモンドバイトによる精密切削により形成される。
【０１０３】
なお、ダイヤモンドバイトの精密切削などにより微細形状を形成することが困難な鉄系材料などにより、金型ロール７５を構成する場合には、その表面に銅メッキまたはニッケルメッキなどからなる加工層を形成し、この加工層上に微細形状を形成するようにすればよい。
【０１０４】
次に、図１２を参照しながら、第８の実施形態によるレンチキュラーレンズシートの製造方法について説明する。まず、ホッパ７１に格納された樹脂材料を押出機７２により溶融してＴダイ７３に順次供給し、Ｔダイ７３から溶融した樹脂材料を連続的に吐出させる。そして、Ｔダイ７３から吐出された樹脂材料を加圧冷却ロール７４により固化すると共に、金型ロール７５により樹脂材料の表面に微細形状を転写する。以上の工程により、レンチキュラーレンズシート４０を得ることができる。
【０１０５】
（９）第９の実施形態
この第９の実施形態による背面投射型の画像表示装置１は、上述の第１の実施形態と同様の構成を有する。したがって、背面投射型の画像表示装置の構成についての説明を省略し、以下では、レンチキュラーレンズシートの製造方法について説明する。
【０１０６】
この第９の実施形態によるレンチキュラーレンズシートの製造方法は、紫外線硬化樹脂にレンズパターンの形状を転写して、レンズキュラーレンズシートを製造するものである。まず、図１３を参照して、この第９の実施形態によるレンチキュラーレンズシートの製造方法に用いられるシート製造装置について説明する。
【０１０７】
図１３に示すように、このシート製造装置は、加圧ロール８１、樹脂ディスペンサ８３、金型ロール８４、ＵＶランプ（紫外線ランプ）８５および剥離ロール８６を備える。基材となるフィルム４２は、帯状の形状を有し、このフィルム４２の材料としては、例えばＰＥＴ（ポリエチレンテレフタレート）、ＰＣ（ポリカーボネート）またはゼオノア（登録商標）などを用いることができる。このフィルム４２は、巻軸に予め巻き取られて巻物状とされ、シート製造装置の所定位置に回転可能に装着される。
【０１０８】
金型ロール８４は、レンズアレイ４１をフィルム４２の一主面に多数連続して形成するためのものである。金型ロール８４は、円柱状の形状を有し、その円柱面には、レンズアレイ４１を形成するための微細形状の型が設けられている。また、金型ロール８４は、その軸を回転軸として回転可能に構成され、金型ロール８４の回転に伴ってフィルム４２が送り出される。
【０１０９】
金型ロール８４の材料としては、その円柱面に設けられた微細形状を精密に形成するのに適した金属材料を用いることが好ましい。このような金属材料としては、好ましくは、アルミ合金または銅合金が用いられ、より好ましくは、無酸素銅が用いられる。円柱面の微細形状は、例えば、ダイヤモンドバイトによる精密切削により形成される。
【０１１０】
なお、ダイヤモンドバイトの精密切削などにより微細形状を形成することが困難な鉄系材料などにより、金型ロール８４を構成する場合には、その表面に銅メッキまたはニッケルメッキなどからなる加工層を形成し、この加工層上に微細形状を形成するようにすればよい。
【０１１１】
加圧ロール８１は、フィルム４２を加圧して金型ロール８４の円柱面に密着させるためのものである。加圧ロール８１は、円柱状の形状を有し、その半径は、例えば金型ロール８４の半径よりも小さく選ばれる。加圧ロール８１は、その軸を回転軸として回転可能に構成されている。
【０１１２】
剥離ロール８６は、レンズアレイ４１が一主面に形成されたフィルム４２を、金型ロール８４から剥離するためのものである。剥離ロール８６は、円柱状の形状を有し、その半径は、例えば金型ロール８４の半径よりも小さく選ばれる。剥離ロール８６は、その軸を回転軸として回転可能に構成されている。
【０１１３】
樹脂ディスペンサ８３は、紫外線硬化樹脂８２を滴下するためのものであり、紫外線硬化樹脂８２の滴下位置を調整できるように移動可能に構成されている。ＵＶランプ８５は、紫外線を照射可能に構成され、金型ロール８４によって搬送されるフィルム４２に対して紫外線を照射する。
【０１１４】
次に、図１３を参照しながら、この発明の第９の実施形態によるレンチキュラーレンズシートの製造方法について説明する。まず、微細形状が表面に設けられた金型ロール８４に基材となるフィルム４２を巻き付けて、加圧ロール８１と剥離ロール８６とでニップする。樹脂ディスペンサ８３から金型ロール８４とフィルム４２との間に紫外線硬化樹脂８２を滴下して、金型ロール８４とフィルム４２との間に樹脂だまりを形成するとともに、フィルム４２を金型ロール８４に圧着しながら送り出す。これにより、金型ロール８４の円柱面とフィルム４２との間に、紫外線硬化樹脂８２が塗布・充填される。また、この際に、紫外線硬化樹脂８２に混在する気泡が除去される。
【０１１５】
紫外線硬化樹脂８２としては、例えば、アクリル系樹脂、ポリエステル樹脂、ポリ塩化ビニル、ポリウレタン、シリコーン樹脂などを用いることができるが、特に限定されるものではない。なお、レンズアレイ４１を形成するための樹脂は紫外線硬化樹脂に限定されるものではなく、エネルギーを吸収して硬化する種々の樹脂を用いることができ、例えば、電子線硬化樹脂または熱硬化樹脂を用いることができる。
【０１１６】
そして、金型ロール８４の下方から紫外線をフィルム４２に対して照射して紫外線硬化樹脂８２を硬化させた後、回転している剥離ロール８６により金型ロール８４からフィルム４２を引き剥がす。これにより、上述のレンズアレイ４１がフィルム４２上に形成されて、目的とするレンチキュラーレンズシート４０が得られる。
【０１１７】
（１０）第１０の実施形態
この第１０の実施形態による背面投射型の画像表示装置１は、レンチキュラーレンズシート４０以外のことは上述の第１の実施形態と同様であるので、以下ではレンチキュラーレンズシート４０について説明する。
【０１１８】
図１４は、この発明の第１０の実施形態によるレンチキュラーレンズシートの断面を示す。このレンチキュラーレンズシート４０は、その裏面にレンズアレイ４１を有する。このレンズアレイ４１は、第１の単位レンズ４１ａおよび第２の単位レンズ４１ｂを互いに直交交差させてなるものであり、その構成は上述の第１の実施形態と同様であるので説明を省略する。
【０１１９】
また、レンズアレイ４１は、その観察者側となる表面に溝４０ａおよび突出部４０ｂからなる凹凸を有する。この溝４０ａは、例えば、レンズアレイ４１の側から平行光を照射した場合に、光が集光されない非集光部に設けられている。この非集光部には、遮光層４４が設けられ、この遮光層４４により観察者側となる表面から入射する光が吸収される。突出部４０ｂは、例えば、レンズアレイ４１の側から平行光を照射した場合に、光が集光される集光部に設けられている。この突出部４０ｂを介してレンズアレイ４１に集光された光が観察者側となる表面から出射される。
【０１２０】
次に、この第１０の実施形態によるレンチキュラーレンズシートの製造方法について説明する。このレンチキュラーレンズシート４０のシート製造装置は、鏡面プレート６３に代えて、上述の溝４０ａおよび突出部４０ｂに対応する凹凸を有する平板金型を備える以外のことは、上述の第７の実施形態におけるシート製造装置と同様の構成を有する。
【０１２１】
まず、鏡面プレート６３に代えて、上述の溝４０ａおよび突出部４０ｂに対応する凹凸を有する平板金型を用いて、レンチキュラーレンズシート４０の観察者側となる表面を成形する以外のことは上述の第７の実施形態と同様にして、レンチキュラーレンズシート４０を作製する。
【０１２２】
次に、突出部４０ｂの突出面に撥水処理を施した後、レンチキュラーレンズシート４０の観察者側となる表面に、樹脂とカーボンブラックとを混合した塗料を塗布し、突出部４０ｂに付着した余分な塗料を拭き取る。これにより、溝４０ａに塗料が埋め込まれる。次に、溝４０ａに埋め込まれた塗料を硬化させる。以上により、遮光層４４が設けられたレンチキュラーレンズシート４０が得られる。
【０１２３】
（１１）第１１の実施形態
この第１１の実施形態による背面投射型の画像表示装置１は、レンチキュラーレンズシート４０以外のことは上述の第１の実施形態と同様であるので、以下ではレンチキュラーレンズシート４０について説明する。
【０１２４】
図１５は、この発明の第１１の実施形態によるレンチキュラーレンズシートの断面を示す。このレンチキュラーレンズシート４０は、その裏面にレンズアレイ４１を有する。このレンズアレイ４１は、第１の単位レンズ４１ａおよび第２の単位レンズ４１ｂを互いに直交交差させてなるものであり、その構成は上述の第１の実施形態と同様であるので説明を省略する。
【０１２５】
また、レンズアレイ４１は、その観察者側となる表面に溝４０ｃおよび突出部４０ｄからなる凹凸を有する。溝４０ｃは、例えば、レンズアレイ４１の側から平行光を照射した場合に、光が集光される集光部に設けられている。この溝４０ｃを介してレンズアレイ４１に集光された光が、観察者側となる表面から出射される。突出部４０ｄは、例えば、レンズアレイ４１の側から平行光を照射した場合に、光が集光されない非集光部に設けられている。この突出部４０ｄの突出面には遮光層４４が設けられ、この遮光層４４により観察者側となる表面に入射する光が吸収される。
【０１２６】
次に、この第９の実施形態によるレンチキュラーレンズシートの製造方法について説明する。このレンチキュラーレンズシート４０のシート製造装置は、鏡面プレート６３に代えて、上述の溝４０ｃおよび突出部４０ｄに対応する凹凸を有する平板金型を備える以外のことは、上述の第７の実施形態におけるシート製造装置と同様の構成を有する。
【０１２７】
まず、鏡面プレート６３に代えて、上述の溝４０ｃおよび突出部４０ｄに対応する凹凸を有する平板金型を用いて、レンチキュラーレンズシート４０の観察者側となる表面を成形する以外のことは上述の第７の実施形態と同様にして、レンチキュラーレンズシート４０を作製する。次に、例えばスクリーン印刷やオフセット印刷などの印刷法により、表面の突出部４０ｄの突出面に遮光層４４を形成する。以上により、遮光層４４が設けられたレンチキュラーレンズシート４０が得られる。
【０１２８】
この第１１の実施形態では、印刷法などにより遮光層４４を容易に形成することができるので、レンチキュラーレンズシート４０および透過型スクリーン５の生産性を向上することができる。
【０１２９】
（１２）第１２の実施形態
上述の第１〜第１１の実施形態では、この発明を背面投射側の画像表示装置に適用した場合について説明したが、この第１２の実施形態では、この発明を液晶表示装置に適用した場合について説明する。
【０１３０】
図１６は、この発明の第１２の実施形態による液晶表示装置の一構成例を示す。図１６に示すように、この液晶表示装置１０１は、バックライト１０２および液晶パネル１０３を備える。
【０１３１】
バックライト１０２は、液晶パネル１０３に対して光を供給するためのものであり、液晶パネル１０３の直下に配置されている。液晶パネル１０３は、バックライト１０２から供給された光を時間的空間的に変調して情報を表示するためのものである。この液晶パネル１０３の両面には、偏光板１０３ａ、１０３ｂが設けられる。偏光板１０３ａおよび偏光板１０３ｂは、入射する光のうち直交する偏光成分の一方のみを通過させ、他方を吸収により遮へいするものである。偏光板１０３ａと偏光板１０３ｂとは、例えば、透過軸が互いに直交するように設けられる。
【０１３２】
図１６に示すように、バックライト１０２は、例えば、反射板１１１、１または２以上の光源１１２、拡散板１１３、拡散シート１１４、レンチキュラーレンズシート４０および反射型偏光子１１５を備える。１または２以上の光源１１２は、光を液晶パネル１０３に供給するためのものであり、例えば、蛍光ランプ（ＦＬ）、ＥＬ（Electro Luminescence）またはＬＥＤ(Light Emitting Diode)である。
【０１３３】
反射板１１１は、１または２以上の光源１１２を下方および側方から覆うように設けられ、１または２以上の光源１１２から下方および側方などに出射された光を反射して、液晶パネル１０３の方向に向けるためのものである。なお、反射板１１１に代えてシャーシを備えるようにしてもよい。
【０１３４】
拡散板１１３は、１または２以上の光源１１２の上方に設けられ、１または２以上の光源１１２からの出射光および反射板１１１による反射光を拡散させて輝度を均一にするためのものである。
【０１３５】
拡散シート１１４は、拡散板１１３上に設けられ、拡散板１１３にて拡散された光をさらに拡散するためのものである。また、拡散シート１１４に、光を集光させる機能をさらに持たせるようにしてもよい。
【０１３６】
レンチキュラーレンズシート４０は、拡散シート１１４の上方に設けられ、拡散シート１１４により拡散された光を水平方向および垂直方向に広げ、表示光として出射するものである。このレンチキュラーレンズシート４０は、上述の第１の実施形態と同様の構成とすることができるので説明を省略する。
【０１３７】
反射型偏光子１１５は、レンチキュラーレンズシート４０上に設けられ、レンチキュラーレンズシート４０により指向性を高められた光のうち、直交する偏光成分の一方のみを通過させ、他方を反射するものである。
【０１３８】
上述したように、この第１２の実施形態によれば、液晶表示装置１０１は、レンズアレイ４１が一主面に設けられたレンチキュラーレンズシート４０を有し、このレンズアレイ４１は第１の単位レンズ４１ａおよび第２の単位レンズ４１ｂを互いに直交交差してなるので、液晶表示装置１０１の視野角特性および色差特性を向上することができる。さらに視野角範囲の制御も可能にできる。
【実施例】
【０１３９】
以下、実施例により本発明を具体的に説明するが、本発明はこれらの実施例のみに限定されるものではない。
【０１４０】
比較例
図１７は、比較例のレンチキュラーレンズシートの構成を示す。図１８は、比較例のレンチキュラーレンズシートの配向特性を示す。図１９は、比較例のレンチキュラーレンズシートの焦点面近傍の集光性（以下、焦点面特性と称する）を示す。なお、この配向特性および焦点面特性は、主光線を平行光とする入射光線に対する特性である。また、以下の実施例においても同様に、焦点面特性および配向特性は、主光線を平行光とする入射光線に対する特性を示す。
【０１４１】
このレンチキュラーレンズシートは、光入射側となる面にレンズアレイを有する。このレンズアレイは、垂直方向（Ｙ軸方向）に向かって延びる単位レンズを水平方向（Ｘ軸方向）に連続して設けてなる。この単位レンズは、所謂シリンドリカルレンズであり、そのレンズ面は円柱面である。
【０１４２】
単位レンズのレンズ面は、以下の式により表される。
単位レンズ：Ｒ＝５０（μｍ）、Ｙ2＋Ｚ2＝５０2（μｍ）
また、単位レンズのレンズピッチは１００μｍである。
【０１４３】
このレンチキュラーレンズシートは、水平方向に入射光を広げて視野角を拡大するという作用を有する。なお、従来、レンチキュラーレンズを利用者側となる面に設ける場合もあるが、その目的は色調補正である。
【０１４４】
レンチキュラーレンズの光軸となる稜線近傍領域での配光特性がレンチキュラーレンズシートの特性に大きく影響する。図１８に示すように、比較例のレンチキュラーレンズシートでは、視野角の拡大への効果は薄いため、拡散板などとの組み合わせによる複合作用が必用になると考えられる。
【０１４５】
実施例１
実施例１は、第１の実施形態に対応する実施例である。
図２０は、実施例１のレンチキュラーレンズシートの構成を示す。図２１は、実施例１のレンチキュラーレンズシートの配光特性を示す。図２２は、実施例１のレンチキュラーレンズシートの焦点面特性を示す。
【０１４６】
レンチキュラーレンズシートは、光入射側となる一主面にレンズアレイを有する。このレンズアレイは、第１の単位レンズを垂直方向（Ｙ軸方向）に連続して設けてなる第１のレンズ列と、第２の単位レンズを水平方向（Ｘ軸方向）に連続して設けてなる第２のレンズ列とを直交交差させてなる。第１の単位レンズのレンズ面は、水平方向（Ｘ軸方向）に向かって一様に延びる高次非球面の円柱体である。第２の単位レンズのレンズ面は、垂直方向（Ｙ軸方向）に向かって一様に延びる高次非球面の円柱体である。
【０１４７】
第１および第２の単位レンズのレンズ面は、以下の式により表される。
第１の単位レンズ：Ｚ＝Ｙ2／（０．０２９９９＋√（０．０２９９９2−（１−９．６４１）Ｙ2））＋７５５１．５Ｙ4＋３２５７２Ｙ5＋７８８９９６４Ｙ6＋２６９７１１５６６０Ｙ7＋１．１３８８×１０12Ｙ8（ｍｍ）
第２の単位レンズ：Ｘ＝Ｘ2／（０．０２９９９＋√（０．０２９９９2−（１−９．６４１）Ｘ2））＋７５５１．５Ｘ4＋３２５７２Ｘ5＋７８８９９６４Ｘ6＋２６９７１１５６６０Ｘ7＋１．１３８８×１０12Ｘ8（ｍｍ）
また、第１の単位レンズのレンズピッチは１００μｍであり、第２の単位レンズのレンズピッチは１００μｍである。
【０１４８】
実施例１では、集光性は高くコントラストを高めることが容易に可能である。また、水平方向および垂直方向に対する配光機能が高く視野角の拡大に大きく寄与し、その配光特性の制御も容易に可能である。
【０１４９】
実施例２
実施例２は、第２の実施形態に対応する実施例である。
図２３は、実施例２のレンチキュラーレンズシートの構成を示す。図２４は、実施例２のレンチキュラーレンズシートの配光特性を示す。図２５は、実施例２のレンチキュラーレンズシートの焦点面特性を示す。
【０１５０】
レンチキュラーレンズシートは、光入射側となる一主面にレンズアレイを有する。このレンズアレイは、第１の単位レンズを垂直方向（Ｙ軸方向）に連続して設けてなる第１のレンズ列と、第２の単位レンズを水平方向（Ｘ軸方向）に連続して設けてなる第２のレンズ列とを直交交差させてなる。第１の単位レンズのレンズ面は、水平方向（Ｘ軸方向）に向かって一様に延びる円柱面である。第２の単位レンズのレンズ面は、垂直方向（Ｙ軸方向）に向かって一様に延びる円柱面である。
【０１５１】
第１および第２の単位レンズのレンズ面は、以下の式により表される。
第１の単位レンズ：Ｒ＝５０（μｍ）、Ｙ2＋Ｚ2＝５０2（μｍ）
第２の単位レンズ：Ｒ＝５０（μｍ）、Ｘ2＋Ｚ2＝５０2（μｍ）
また、第１の単位レンズのレンズピッチは１００μｍであり、第２の単位レンズのレンズピッチは１００μｍである。
【０１５２】
このレンチキュラーレンズシートは、水平方向および垂直方向に光を広げ、水平方向および垂直方向に視野角を拡大する作用を有するが、比較例（一軸レンチキュラー）と同様にレンチキュラーの光軸となる稜線近傍領域での配光特性がレンチキュラーレンズシートの特性に大きく影響する。図２４のように、実施例２のレンチキュラーレンズシートでは、視野角の拡大への効果は薄いため、拡散板などとの組み合わせによる複合作用が必用になると考えられる。
【０１５３】
実施例３
実施例３は、第３の実施形態に対応する実施例である。
図２６は、実施例３のレンチキュラーレンズシートの構成を示す。図２７は、実施例３のレンチキュラーレンズシートの配光特性を示す。図２８は、実施例３のレンチキュラーレンズシートの焦点面特性を示す。
【０１５４】
レンチキュラーレンズシートは、光入射側となる一主面にレンズアレイを有する。このレンズアレイは、第１の単位レンズを垂直方向（Ｙ軸方向）に連続して設けてなる第１のレンズ列と、第２の単位レンズを水平方向（Ｘ軸方向）に連続して設けてなる第２のレンズ列とを直交交差させてなる。第１の単位レンズのレンズ面は、水平方向（Ｘ軸方向）に向かって一様に延びる円柱面である。第２の単位レンズのレンズ面は、垂直方向（Ｙ軸方向）に向かって一様に延びる高次非球面の円柱体である。
【０１５５】
第１および第２の単位レンズのレンズ面は、以下の式により表される。
第１の単位レンズ：Ｙ2＋Ｚ2＝５０2（μｍ）
第２の単位レンズ：Ｘ＝Ｘ2／（０．０２９９９＋√（０．０２９９９2−（１−９．６４１）Ｘ2））＋７５５１．５Ｘ4＋３２５７２Ｘ5＋７８８９９６４Ｘ6＋２６９７１１５６６０Ｘ7＋１．１３８８×１０12Ｘ8（ｍｍ）
また、第１の単位レンズのレンズピッチは１００μｍであり、第２の単位レンズのレンズピッチは１００μｍである。
【０１５６】
実施例３では、集光性は高くコントラストを高めることが容易に可能である。また、水平方向および垂直方向に対する配光機能が高く視野角の拡大に大きく寄与し、その配光特性の制御も容易に可能である。
【０１５７】
実施例４
実施例４は、第６の実施形態に対応する実施例である。
図２９は、実施例４のレンチキュラーレンズシートの構成を示す。図３０は、実施例４のレンチキュラーレンズシートの配光特性を示す。図３１は、実施例４のレンチキュラーレンズシートの焦点面特性を示す。
【０１５８】
レンチキュラーレンズシートは、光入射側となる一主面にレンズアレイを有する。このレンズアレイは、第１の単位レンズを垂直方向（Ｙ軸方向）に連続して設けてなる第１のレンズ列と、第２の単位レンズを水平方向（Ｘ軸方向）に連続して設けてなる第２のレンズ列とを直交結合させてなる。第１の単位レンズのレンズ面は、水平方向（Ｘ軸方向）に向かって一様に延びる円柱面である。第２の単位レンズのレンズ面は、垂直方向（Ｙ軸方向）に向かって一様に延びる高次非球面の円柱体である。
【０１５９】
第１および第２の単位レンズのレンズ面は、以下の式により表される。
第１の単位レンズ：Ｙ2＋Ｚ2＝５０2
第２の単位レンズ：Ｚ＝Ｘ2／（５０＋√(２５００＋２Ｘ2)）＋２×１０-6Ｘ4
また、水平方向（Ｘ軸方向）のレンズピッチは１００μｍであり、垂直方向（Ｙ軸方向）のレンズピッチは１００μｍである。
【０１６０】
実施例４では、集光性は高くコントラストを高めることが容易に可能である。また、水平方向および垂直方向に対する配光機能が高く視野角の拡大に大きく寄与し、さらに、その配光特性の制御も容易に可能である。
【０１６１】
以上、この発明の実施形態および実施例について具体的に説明したが、この発明は、上述の実施形態および実施例に限定されるものではなく、この発明の技術的思想に基づく各種の変形が可能である。
【０１６２】
例えば、上述の実施形態および実施例において挙げた数値はあくまでも例に過ぎず、必要に応じてこれと異なる数値を用いてもよい。
【０１６３】
また、上述の実施形態および実施例の各構成は、本発明の主旨を逸脱しない限り、互いに組み合わせることが可能である。
【０１６４】
また、上述の実施形態では、バックライト１０２が直下型である場合について説明したが、バックライト１０２はこの例に限定されるものではなく、例えば、バックライト１０２をエッジ・ライト型（サイド・ライト型）としてもよい。
【０１６５】
また、上述の実施形態では、１枚のフレネルレンズシート３０を背面投射型の画像表示装置１に備える場合について説明したが、フレネルレンズ３０の枚数はこれに限定されるものではなく、用途に応じて複数枚のフレネルレンズシート３０を備えるようにしてもよい。
【０１６６】
また、上述の実施形態では、液晶パネル１０３の背面側にレンチキュラーレンズシート４０を備える場合について説明したが、液晶パネル１０３の前面側にレンチキュラーレンズシート４０を備えるようにしてもよい。但し、レンチキュラーシート４０は、その一主面に設けられたレンチキュラーレンズが液晶パネル１０３側となるように配される。液晶パネル１０３の前面側に備えた場合にも、液晶パネル１０３の視野角特性および色差特性を向上することが可能であり、更には視野角範囲の制御も可能である。
【０１６７】
また、上述の第３および第６の実施形態では、第１の単位レンズ４１ａのレンズ面が円柱面であり、第２の単位レンズ４１ｂのレンズ面が非球面状の柱面である場合について説明したが、第１の単位レンズ４１ａのレンズ面が非球面状の円柱面であり、第２の単位レンズ４１ｂのレンズ面が円柱面となるようにしてもよい。
【０１６８】
また、上述の実施形態では、フレネルレンズシート３０とレンチキュラーレンズシート４０とを互いのレンズ面が対向するように組み合わせる場合について説明したが、フレネルレンズシート３０のレンズ面とは反対側の面と、レンチキュラーレンズシート４０のレンズ面とが対向するように組み合わせるようにしてもよい。
【０１６９】
また、上述の実施形態では、１枚のレンチキュラーレンズシート４０を背面投射型の画像表示装置１および液晶表示装置１０１に備える場合について説明したが、レンチキュラーレンズシート４０の枚数はこれに限定されるものではなく、用途に応じて複数枚のレンチキュラーレンズシート４０を備えるようにしてもよい。
【図面の簡単な説明】
【０１７０】
【図１】この発明の第１の実施形態による背面投射型の画像表示装置の一構成例を示す。
【図２】プロジェクタの一構成例を示す斜視図である。
【図３】この発明の第１の実施形態による透過型スクリーンの一構成例を示す断面図である。
【図４】この発明の第１の実施形態によるレンチキュラーレンズシートの表面および裏面を模式的に示す平面図である。
【図５】この発明の第１の実施形態によるレンチキュラーレンズシートの断面図である。
【図６】この発明の第１の実施形態によるレンチキュラーレンズシートの作製方法を説明するための断面図である。
【図７】この発明の第１の実施形態によるレンチキュラーレンズシートの作製方法を説明するための断面図である。
【図８】この発明の第１の実施形態によるレンチキュラーレンズシートの作製方法を説明するための断面図である。
【図９】この発明の第２の実施形態によるレンチキュラーレンズシートの一構成例を示す断面図である。
【図１０】この発明の３の実施形態によるレンチキュラーレンズシートの一構成例を示す断面図である。
【図１１】この発明の第７の実施形態によるレンチキュラーレンズシートの製造方法に用いられるシート製造装置の構成を示す略線図である。
【図１２】この発明の第８の実施形態によるレンチキュラーレンズシートの製造方法に用いられるシート製造装置の構成を示す略線図である。
【図１３】この発明の第９の実施形態によるレンチキュラーレンズシートの製造方法に用いられるシート製造装置の構成を示す略線図である。
【図１４】この発明の第１０の実施形態によるレンチキュラーレンズシートの一構成例を示す断面図である。
【図１５】この発明の第１１の実施形態によるレンチキュラーレンズシートの一構成例を示す断面図である。
【図１６】この発明の第１２の実施形態による液晶表示装置の一構成例を示す断面図である。
【図１７】比較例のレンチキュラーレンズシートの構成を示す模式図である。
【図１８】比較例のレンチキュラーレンズシートの配向特性を示すグラフである。
【図１９】比較例のレンチキュラーレンズシートの焦点面特性を示すグラフである。
【図２０】実施例１のレンチキュラーレンズシートの構成を示す模式図である。
【図２１】実施例１のレンチキュラーレンズシートの配光特性を示すグラフである。
【図２２】実施例１のレンチキュラーレンズシートの焦点面特性を示すグラフである。
【図２３】実施例２のレンチキュラーレンズシートの構成を示す模式図である。
【図２４】実施例２のレンチキュラーレンズシートの配光特性を示すグラフである。
【図２５】実施例２のレンチキュラーレンズシートの焦点面特性を示すグラフである。
【図２６】実施例３のレンチキュラーレンズシートの構成を示す模式図である。
【図２７】実施例３のレンチキュラーレンズシートの配光特性を示すグラフである。
【図２８】実施例３のレンチキュラーレンズシートの焦点面特性を示すグラフである。
【図２９】実施例４のレンチキュラーレンズシートの構成を示す模式図である。
【図３０】実施例４のレンチキュラーレンズシートの配光特性を示すグラフである。
【図３１】実施例４のレンチキュラーレンズシートの焦点面特性を示すグラフである。
【符号の説明】
【０１７１】
１    背面投射型の画像表示装置
３    プロジェクタ
５    透過型スクリーン
３０    フレネルレンズシート
４０    レンチキュラーレンズシート
４０ａ，４０ｃ    溝
４０ｂ，４０ｄ    突出部
４１    レンズアレイ
４１ａ  第１の単位レンズ
４１ｂ  第２の単位レンズ
４４    遮光層
４４ａ    透過部
４５    拡散フィルム
４６    基板
４７    ＡＧ・ＨＣ層
１０１  液晶表示装置
１０２  バックライト
１０３  液晶パネル
【図１】
2007304432.tif 000003
【図３】
2007304432.tif 000004
【図５】
2007304432.tif 000005
【図６】
2007304432.tif 000006
【図７】
2007304432.tif 000007
【図８】
2007304432.tif 000008
【図９】
2007304432.tif 000009
【図１０】
2007304432.tif 000010
【図１１】
2007304432.tif 000011
【図１２】
2007304432.tif 000012
【図１３】
2007304432.tif 000013
【図１４】
2007304432.tif 000014
【図１５】
2007304432.tif 000015
【図１６】
2007304432.tif 000016
【図１８】
2007304432.tif 000017
【図２１】
2007304432.tif 000018
【図２４】
2007304432.tif 000019
【図２７】
2007304432.tif 000020
【図３０】
2007304432.tif 000021
【図２】
2007304432.tif 000022
【図４】
2007304432.tif 000023
【図１７】
2007304432.tif 000024
【図１９】
2007304432.tif 000025
【図２０】
2007304432.tif 000026
【図２２】
2007304432.tif 000027
【図２３】
2007304432.tif 000028
【図２５】
2007304432.tif 000029
【図２６】
2007304432.tif 000030
【図２８】
2007304432.tif 000031
【図２９】
2007304432.tif 000032
【図３１】
2007304432.tif 000033